(57)【要約】【課題】ドリフトピンを使用しての従来の打抜作業にあっては、ハンマー等で打撃された際の衝撃及び打撃音が大きいため、近隣に騒音を発してしまう。【解決手段】ボルトＢの上位に配置される位置決め本体１と、該位置決め本体１を補強リブＣに保持せしめる取付アーム２と、前記位置決め本体１に変位自在に組み付けられた押込アーム３とを備える。位置決め本体１は、左右方向に長くて上下方向が開放されたスライド孔１ａと、自体重量を軽減するための透孔１ｂ、１ｂ…を備えており、ボルトＢの配列方向や間隔に対応できるように押込アーム３をスライド孔１ａに沿ってスライドできるように保持せしめる。取付アーム２は、位置決め本体１のスライド孔１ａ内に変位自在に嵌挿されるスライダー２ａと、該スライダー２ａの下端側に連結される連結ソケット２ｂと、該連結ソケット２ｂに形成されたロック手段２ｃとを備えるのが良い。【選択図】    図２
2004324198.tif 000002
【特許請求の範囲】
【請求項１】
ボルト類の上位に所定間隔を介して配置される位置決め本体と、該位置決め本体を所望位置に保持せしめる取付アームと、前記位置決め本体に変位自在に組み付けられた押込アームとを備えてなることを特徴とするボルト類押込治具。
【請求項２】
前記位置決め本体は、反力受けバーを兼備してなることを特徴とする請求項１に記載のボルト類押込治具。
【請求項３】
前記位置決め本体は、左右方向に長く上下方向が開放されたスライド孔を有することを特徴とする請求項１又は２に記載のボルト類押込治具。
【請求項４】
前記取付アームは、補強リブ若しくはネジ孔に支持するためのロック手段を有することを特徴とする請求項１に記載のボルト類押込治具。
【請求項５】
前記押込アームは、位置決め本体の上下方向に変位すべく組み付けられた可動アームと、該可動アームの先端側に突設されてボルト類を押圧せしめるボルト受けとを備えてなることを特徴とする請求項１に記載のボルト類押込治具。
【請求項６】
前記ロック手段は、補強リブの端部に跨架されるロック溝と、該ロック溝内に補強リブを狭持せしめるロックボルトとを備えてなることを特徴とする請求項４に記載のボルト類押込治具。
【発明の詳細な説明】
【０００１】
【発明の属する技術分野】
本発明は、主として橋梁、鉄塔、架設鋼構造物等の作業現場で使用されるボルトの打ち込み若しくは打ち抜きに使用されるボルト類押込治具に関し、更に詳しくは、仮令、錆び付いたボルトやドリフトピンであっても、ハンマー等で打撃することなく、簡単かつ確実に打ち込むことができるボルト類押込治具に関する。
【０００２】
従来、斯かる橋梁、鉄塔、架設鋼構造物等の作業現場で使用されるボルトの打込若しくは打抜作業にドリフトピンが使用されている。このドリフトピンは、鋼材等の適宜素材から成形されており、先端側を被金属孔材の加工内に挿着し、頭部側をハンマー等で打撃することにより、加工孔内に強制的に圧入され、孔径を整合したり、孔寸（奥行き）を拡大している（例えば、特許文献１参照）。
【特許文献１】
特開平８−６１３３８号公報
【０００３】
【発明が解決しようとする課題】
しかしながら、上述したドリフトピンを使用しての従来の打抜作業にあっては、ハンマー等で打撃された際の衝撃及び打撃音が大きいため、近隣に騒音を発してしまうといった問題があり、また、ハンマーで打たれた際に、ドリフトピンが反対側に抜け落ちてしまうといった問題があり、作業上、大変に危険であった。
【０００４】
しかも、斯かるドリフトピンにあっては、部材接合部のボルト孔（加工孔）内に挿着されたまま、必要期間、放置されることも相俟って、ドリフトピンが部材との錆び付きによって（ハンマーでの打ち返しだけでは）簡単に抜けなくなるといった不具合をも有している。
【０００５】
本発明はこのような従来の問題点に鑑みてなされたもので、従来の如くハンマー等で打撃する必要が無いため、従来の如き衝撃及び打撃音等の騒音を発することがなく、ボルト類を簡単かつ円滑に押し込むことができ、延いては、ボルト受けに、リーマ等の切削剪りを取り付けることにより、錆び付いて動かないボルト類、ドリフトピンや、ネジ孔内に折れ込んでいるドリフトピン類を正確に削り抜くことができるボルト類押込治具の提供を目的としたものである。
【０００６】
【課題を解決するための手段】
上述の如き従来の問題点を解決し、所期の目的を達成するため本発明の要旨とする構成は、ボルト類の上位に所定間隔を介して配置される位置決め本体と、該位置決め本体を所望位置に保持せしめる取付アームと、前記位置決め本体に変位自在に組み付けられた押込アームとを備えてなるボルト類押込治具に存し、延いては、位置決め本体に反力受けバーを兼備してなるボルト類押込治具に存する。
【０００７】
また、前記位置決め本体は、左右方向に長くて上下方向が開放されたスライド孔を有するのが良い。
【０００８】
更に、前記取付アームは、補強リブ若しくはネジ孔に支持するためのロック手段を有するのが良い。
【０００９】
また、前記押込アームは、位置決め本体の上下方向に変位すべく組み付けられた可動アームと、該可動アームの先端側に突設されてボルト類を押圧するボルト受けとを備えるのが良い。
【００１０】
更に、前記ロック手段は、補強リブの端部に跨架されるロック溝と、該ロック溝内に補強リブを狭持せしめるロックボルトとを備えるのが良い。
【００１１】
このように構成される本発明のボルト類押込治具は、ボルト類の上位に所定間隔を介して配置される位置決め本体と、該位置決め本体を所望位置に保持せしめる取付アームと、前記位置決め本体に変位自在に組み付けられた押込アームとを備えてなることによって、ボルト類をハンマー等で打撃することなく押し込みし得ることとなる。
【００１２】
また、前記位置決め本体に反力受けバーを設けたことによって、ボルト類を押し込みする際、その反力を前記反力受けバーで受け止め、無駄なく全押込力をボルト類にかけ得ることとなる。
【００１３】
更に、前記位置決め本体が、左右方向に長くて上下方向が開放されたスライド孔を有することによって、取付アームを任意の位置に摺動し得ることとなる。
【００１４】
また、前記取付アームが、補強リブ若しくはネジ孔に支持するためのロック手段を有することによって、橋梁、鉄塔、架設鋼構造物等の作業現場であっても、位置決め本体を設置し得ることとなる。
【００１５】
更に、前記押込アームは、位置決め本体の上下方向に変位すべく組み付けられた可動アームと、該可動アームの先端側に突設されてボルト類を押圧するボルト受けとを備えることによって、可動アームを操作することにより、ボルト受けでのボルト類の押し込みが可能となる。
【００１６】
【発明の実施の形態】
次に、本発明の第１実施例を図１〜図５を参照しながら説明する。図中Ａは、本発明に係るボルト類押込治具であり、このボルト類押込治具Ａは、図１乃至図２に示すように、ボルトＢの上位に所定間隔を介して配置される位置決め本体１と、該位置決め本体１を補強リブＣに保持せしめる取付アーム２と、前記位置決め本体１に変位自在に組み付けられた押込アーム３とを備えている。
【００１７】
位置決め本体１は、左右方向に長くて上下方向が開放されたスライド孔１ａと、本体自体の重量を軽減するための透孔１ｂ、１ｂ…を備えており（図１参照）、ボルトＢの配列方向や間隔に対応できるように後述する押込アーム３をスライド孔１ａに沿って摺動できるように組み付けている。
【００１８】
取付アーム２は、位置決め本体１のスライド孔１ａ内に変位自在に嵌挿されるスライダー２ａと、該スライダー２ａの下端側に連結される連結ソケット２ｂと、該連結ソケット２ｂに形成されたロック手段２ｃとを備えている。
【００１９】
スライダー２ａは、位置決め本体１の上端開口縁１ｃに係止される大径部２ａ１  と、該大径部２ａ１  の下位に連設された雄状連結部２ａ２  と、該雄状連結部２ａ２  と前記大径部２ａ１  との中心軸に貫通された中心孔２ａ３  とを備えている。
【００２０】
連結ソケット２ｂは、環状の短筒体からなり、位置決め本体１のスライド孔１ａ内に遊嵌される外径と、前記雄状連結部２ａ２  を整合できる内径とを有している。
【００２１】
従って、斯かる取付アーム２は、前記雄状連結部２ａ２  を位置決め本体１のスライド孔１ａの上方から挿着し、連結ソケット２ｂを同スライド孔１ａの下方から挿着して互い（雄状連結部２ａ２  と同ソケット２ｂ）を整合し、斯かる状態で、前記中心孔２ａ３  にネジ２ｄを螺着することにより、位置決め本体１にスライド自在に抜け止めされるのである。
【００２２】
一方、ロック手段２ｃは、補強リブＣの端部を跨架せしめるロック溝２ｃ１  と、該ロック溝２ａ１  に跨架された状態で補強リブＣを狭持するロックボルト２ｃ２  とを備えている。
【００２３】
また、斯かるロック手段２ｃは、前記連結ソケット２ｂが前記スライダー２ａの雄状連結部２ａ２  内に挿着され、かつ、ネジ２ｄで軸支されることにより、取付アーム２に対し３６０度回転すべく組み付けられている。
【００２４】
従って、斯かるロック手段２ｃは、縦方向の補強リブＣや縦方向の補強リブＣの何れにも取り付けできるため、換言すれば、一方のロック手段２ｃを軸にして回転できるため、横方向だけではなく縦方向に打ち込まれたボルトＢにも対応できるのである。
【００２５】
他方、押込アーム３は、例えば、足長のボルトからなり、前記位置決め本体１の長手方向（左右方向）の上端開口縁１ｃに沿って移動できるように配設された上下一対の狭持体３ａ，３ａと、該狭持体３ａ，３ａを貫通すべく螺合されたボルト状の可動アーム３ｂと、該可動アーム３ｂの先端側に突設されたボルト受け３ｃとを備えている。
【００２６】
このように構成される本発明に係るボルト類押込治具Ａは、図３に示すように、補強リブＣ，Ｃ間に位置決め本体１を架設すべく取付アーム２，２の各ロック溝２ａ１  ，２ａ１  を、同補強リブＣの遊端に跨架した状態で、前記ロックボルト２ａ２  を締める付けるだけの簡単操作で、押込アーム３をボルトＢの上位にセットできるのである。
【００２７】
換言すれば、押し込みたい任意のボルトＢを選択し、その上に、押込アーム３のボルト受け３ｂが位置するように狭持体３ａ，３ａを緩めて変位せしめ（位置決め調整）、然る後、同可動アーム３ｂのボルトＢを専用レンチ（鋼材接続用レンチ）で締め付けるだけで、前記押込アーム３のボルト受け３ｃが強制的に下動し、ボルトＢをハンマー等で打ち込むことなく押し込むことができるものであり、以後、取付アーム２をスライドさせるだけで、隣設するボルトＢの押し込み作業へと移行することができるのである。
【００２８】
また、押込アーム３やボルト受け３ｃに、リーマ等の切削剪り（図示せず）、鋼材接続レンチ（図示せず）、ドリル（図示せず）などを取り付けることにより、錆び付いて動かないボルトＢや、ネジ孔６ａ，７ａ内に折れ込んでいるドリフトピン（図示せず）などを正確に削り抜くことができる。
【００２９】
次に、本発明に係るボルト類押込治具の第２実施例を図６乃至図１０を参照しながら説明する。尚、理解を容易にするため、前述した第１実施例と同一部分は同一符号で示し、構成の異なる処のみを新たな番号を付して以下に説明する。
【００３０】
位置決め本体１は、単体の取付アーム４で立設されると共に、同位置決め本体１の左右両端側に、押込アーム３と反力受けレバー５とを備えている。
【００３１】
取付アーム４は、ネジ孔６ａ，７ａに対し回動自在（３６０度）に支持されており、位置決め本体１のスライド孔１ａ内に変位自在に嵌挿されるスライダー４ａと、該スライダー４ａの下端側に配置される回動ロック手段４ｂとで立設されている。
【００３２】
回動ロック手段４ｂは、位置決め本体１の下に配置されて同位置決め本体１の高さを決定するロックスタンド４ｂ１  と、該ロックスタンド４ｂ１  と前記スライダー４ａとをネジ孔６ａ，７ａに軸支するロック軸４ｂ２  と、該ロック軸４ｂ２  を抜け止めするロックナット４ｂ３  とから構成されている。
【００３３】
反力受けアーム５は、例えば、長寸のネジ部を有するボルト類からなり、下端側が補強板７に当接するように位置決め本体１の取付孔１ｄに螺着されることにより、前記ロックスタンド４ｂ１  と共同して位置決め本体１を立設している。
【００３４】
尚、本発明に係るボルト類押込治具Ａは、本実施例に限定されることなく、本発明の目的の範囲内で自由に設計変更し得るものであり、本発明はそれらの全てを包摂するものである。また、本明細書で言及している「ボルト類」とは、本実施例で示したボルトのみに限定されることなく、同様に使用されるペグ、ネイル、リベット、ナット、座金、ドリフトピン等をも包摂するものである。
【００３５】
【発明の効果】
本発明は上述のように構成され、ボルト類の上位に所定間隔を介して配置される位置決め本体と、該位置決め本体を所望位置に保持せしめる取付アームと、前記位置決め本体に変位自在に組み付けられた押込アームとを備えてなることによって、ボルト類をハンマー等で打撃することなく簡単かつ確実に押し込みできるため、近隣に騒音を発してしまうといった従来の問題を解消できるといった効果を奏するものである。
【００３６】
また、前記位置決め本体に反力受けバーを設けたことによって、ボルト類を押し込みする際、その反力を前記反力受けバーで受け止め、全押込力をボルト類にかけることができるため、ボルト類を無理なく押圧することができるといった効果を奏する。
【００３７】
更に、前記位置決め本体が、左右方向に長くて上下方向が開放されたスライド孔を有することによって、取付アームを任意の位置に摺動できるため、如何なるボルト類の取付間隔にも対応できるといった効果を奏するものである。
【００３８】
また、前記取付アームが、補強リブ若しくはネジ孔に支持するためのロック手段を有することによって、橋梁、鉄塔、架設鋼構造物等の作業現場であっても、位置決め本体を簡単かつ確実に設置できるといった効果を奏するものである。
【００３９】
更に、前記押込アームは、位置決め本体の上下方向に変位すべく組み付けられた可動アームと、該可動アームの先端側に突設されてボルト類を押圧せしめるボルト受けとを備えることによって、可動アームを操作することにより、ボルト受けでのボルト類の押し込みが可能となるため、ボルト類の頭部を確実に押圧することができるといった効果を奏するものである。
【００４０】
このように本発明に係るボルト類押込治具は、従来の如くハンマー等で打撃することなくボルト類を押し込みできるため、夜間でも騒音なく作業でき、また、構成が単純であるため大量生産に適し、価格も低廉なものとして需要者に提供できるなど、本発明を実施することはその実益的価値が甚だ大である。
【図面の簡単な説明】
【図１】本発明に係るボルト類押込治具の第１実施例を示す説明図である。
【図２】同ボルト類押込治具の組立分解斜視図である。
【図３】同ボルト類押込治具の取付状態を示す説明図である。
【図４】同ボルト類押込治具の取付状態を示す縦断面図である。
【図５】同ボルト類押込治具の取付状態を示す平面図である。
【図６】本発明に係るボルト類押込治具の第２実施例を示す説明図である。
【図７】同ボルト類押込治具の取付状態を示す縦断面図である。
【図８】同ボルト類押込治具の取付状態を示す説明図である。
【図９】同ボルト類押込治具の組立分解斜視図である。
【図１０】同ボルト類押込治具の取付状態を示す平面図である。
【符号の説明】
Ａ  ボルト類押込治具
Ｂ  ボルト
Ｃ    補強リブ
１  位置決め本体
１ａ  スライド孔
１ｂ    透孔
１ｃ    上端開口縁
１ｄ  取付孔
２  取付アーム
２ａ  スライダー
２ａ１  大径部
２ａ２  雄状連結部
２ａ３  中心孔
２ｂ    連結ソケット
２ｃ  ロック手段
２ｃ１  ロック溝
２ｃ２  ロックボルト
２ｄ  ネジ
３  押込アーム
３ａ  狭持体
３ｂ  可動アーム
３ｃ  ボルト受け
４  取付アーム
４ａ  スライダー
４ｂ  回動ロック手段
４ｂ１  ロックスタンド
４ｂ２  ロック軸
４ｂ３  ロックナット
５  反力受けレバー
６    鋼板
６ａ  ネジ孔
７  補強板
７ａ  ネジ孔
【図１】
2004324198.tif 000003
【図２】
2004324198.tif 000004
【図３】
2004324198.tif 000005
【図４】
2004324198.tif 000006
【図５】
2004324198.tif 000007
【図６】
2004324198.tif 000008
【図７】
2004324198.tif 000009
【図８】
2004324198.tif 000010
【図９】
2004324198.tif 000011
【図１０】
2004324198.tif 000012